(57)【要約】【課題】所定の遷移時間を必要とする画素ずらしを実行しても、投影光を早期に安定させることができ、画像の品質やコントラストを向上させることができる投影装置を提供する。【解決手段】投影装置１０は、青色波長帯域光を出射する励起光照射装置７０と、青色波長帯域光を透過する透過領域１０４と、緑色波長帯域光を反射する蛍光体領域１０３と、が周方向に並設して設けられる蛍光ホイール１０１と、を有する光源装置６０と、光源装置６０を制御する光源制御回路４１と、画像光を形成する表示素子５１と、複数のサブフレーム期間の各サブフレーム期間毎に画像光の表示位置をシフトする画素ずらしユニット４９と、光源制御回路４１と画素ずらしユニット４９とを制御する制御部３８と、を備え、制御部３８は、画素ずらしユニット４９がサブフレーム期間毎に表示位置をシフトするタイミングと、光源装置６０からの出射光が切り替わるタイミングと、を同期させる。【選択図】  図６
2019062463.tif 000002
【特許請求の範囲】
【請求項１】
第１の波長帯域光を出射する第１の光源と、
前記第１の波長帯域光を透過する透過領域と、前記第１の波長帯域光が照射され、前記第１の波長帯域光とは異なる第２の波長帯域光を反射する蛍光体領域と、が周方向に並設して設けられる蛍光ホイールと、
を有する光源部と、
前記光源部を制御する光源制御部と、
前記光源部からの出射光が照射され、画像光を形成する表示素子と、
１画像フレーム期間を構成する複数のサブフレーム期間の各サブフレーム期間毎に前記画像光の表示位置をシフトする画素ずらしユニットと、
前記光源制御部と前記画素ずらしユニットとを制御する制御部と、
を備え、
前記制御部は、前記画素ずらしユニットが前記サブフレーム期間毎に表示位置をシフトするタイミングと、前記光源部からの前記出射光が切り替わるタイミングと、を同期させることを特徴とする投影装置。
【請求項２】
前記光源部からの前記出射光が切り替わるタイミングは、スポーク期間のうち最も長いタイミングであることを特徴とする請求項１に記載の投影装置。
【請求項３】
前記スポーク期間のうち前記最も長いタイミングは、前記第１の波長帯域光を透過する透過領域と、前記第２の波長帯域光を反射する蛍光体領域と、の間の領域であることを特徴とする請求項２に記載の投影装置。
【請求項４】
前記画素ずらしユニットは、前記表示素子と前記投影側光学系との間における光路上に配置される透明な平行平面板と、前記平行平面板を光軸に対し複数の所定方向に傾けて光の入射位置に対する出射位置を変化させるアクチュエータと、
を備え、
前記制御部は、前記平行平面板を前記サブフレーム期間毎に光軸に対し所定方向に傾けて前記画像光の入射位置に対する出射位置を変化させるアクチュエータを駆動制御することを特徴とする請求項１乃至請求項３の何れかに記載の投影装置。
【請求項５】
前記画素ずらしユニットは、前記表示素子が固定された可動ユニットを備え、
前記制御部は、前記可動ユニットを移動させ、前記表示素子の位置を制御することを特徴とする請求項１乃至請求項３の何れかに記載の投影装置。
【請求項６】
前記制御部は、前記光源制御部が前記出射光を切り替えるタイミングにおいて、前記光源部を消灯させることを特徴とする請求項１乃至請求項５の何れかに記載の投影装置。
【請求項７】
シフトする前記画像光の表示位置は、それぞれ、第１状態、第２状態、第３状態及び第４状態であることを特徴とする請求項１乃至請求項６の何れかに記載の投影装置。
【請求項８】
前記制御部は、前記画像光の表示位置がシフトした、前記各画素のシフトの前後における重複する画素領域に基づいて、１画素を形成することを特徴とする請求項１乃至請求項７の何れかに記載の投影装置。
【請求項９】
前記画像光が入射され、投影光を出射する投影側光学系を、更に備えることを特徴とする請求項１乃至８の何れかに記載の投影装置。
【請求項１０】
第１の波長帯域光を出射する第１の光源と、前記第１の波長帯域光を透過する透過領域と前記第１の波長帯域光が照射され前記第１の波長帯域光とは異なる第２の波長帯域光を反射する蛍光体領域とが周方向に並設して設けられる蛍光ホイールと、を有する光源部と、
前記光源部を制御する光源制御部と、
前記光源部からの出射光が照射され、画像光を形成する表示素子と、
１画像フレーム期間を構成する複数のサブフレーム期間の各サブフレーム期間毎に前記画像光の表示位置をシフトする画素ずらしユニットと、
前記光源制御部と前記画素ずらしユニットとを制御する制御部と、
を備える投影装置の投影方法において、
前記制御部により、前記画素ずらしユニットが前記サブフレーム期間毎に表示位置をシフトするタイミングと、前記出射光が切り替わるタイミングと、を同期させることを特徴とする投影装置の投影方法。
【発明の詳細な説明】
【技術分野】
【０００１】
本発明は、投影装置及び投影方法に関する。
【背景技術】
【０００２】
今日、パーソナルコンピュータの画面やビデオ画像、更にメモリカード等に記憶されている画像データによる画像等をスクリーンに投影する投影装置としてのデータプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させるものである。
【０００３】
この投影装置であるプロジェクタは、カラー画像がスクリーン上に表示されるため高画質な投影画像がスクリーンに表示されることが求められる。そこで、スクリーン上において高画質な画像の投影を実現するために、種々な取り組みがなされている。例えば、その取り組みの１つに、所謂、画素ずらしと呼ばれる高解像度化を実現する技術が知られている。ここで、この画素ずらしに関し、以下の特許文献１に関連する技術が開示されている。
【０００４】
具体的には、特許文献１に記載の画像投影装置には、画像を形成するＤＭＤを有する画像表示ユニットと、光を画像表示ユニットに導く照明光学系ユニットと、形成された画像を拡大投影する投影光学系ユニットと、ＤＭＤを第１状態と第２状態との間で周期的に変位させる移動制御部と、を備えるものが開示されている。
【先行技術文献】
【特許文献】
【０００５】
【特許文献１】特開２０１６−１１００１８号公報
【発明の概要】
【発明が解決しようとする課題】
【０００６】
特許文献１に開示された技術は、ＤＭＤを直接動かして画素ずらしを実行する。そのため、特許文献１に記載されているように、画素ずらしユニットの第１状態と第２状態とにおいて、ＤＭＤの表示が安定するまで所定の変位期間が発生する。換言すれば、特許文献１に開示された技術を用いて画素ずらしを実行する場合は、投影光が安定するまで所定の遷移時間を必要とする。
【０００７】
また、光源装置から出射される出射光において、色セグメントの切り替え時は、無効期間が発生する。また、単色光には使用できない混色期間が発生することもある。この画素ずらしによる遷移時間と、色セグメントの切り替えによる無効期間又は混色期間は、画素の表示が安定しないため、画像の品質劣化やコントラストが弱くなってしまうことが懸念される。
【０００８】
本発明は、所定の遷移時間を必要とする画素ずらしを実行しても、投影光を早期に安定させることができ、画像の品質やコントラストを向上させることができる投影装置及び投影方法を提供することを目的としている。
【課題を解決するための手段】
【０００９】
本発明に係る投影装置は、第１の波長帯域光を出射する第１の光源と、前記第１の波長帯域光を透過する透過領域と、前記第１の波長帯域光が照射され、前記第１の波長帯域光とは異なる第２の波長帯域光を反射する蛍光体領域と、が周方向に並設して設けられる蛍光ホイールと、を有する光源部と、前記光源部を制御する光源制御部と、前記光源部からの出射光が照射され、画像光を形成する表示素子と、１画像フレーム期間を構成する複数のサブフレーム期間の各サブフレーム期間毎に前記画像光の表示位置をシフトする画素ずらしユニットと、前記光源制御部と前記画素ずらしユニットとを制御する制御部と、を備え、前記制御部は、前記画素ずらしユニットが前記サブフレーム期間毎に表示位置をシフトするタイミングと、前記光源部からの前記出射光が切り替わるタイミングと、を同期させることを特徴とする。
【００１０】
本発明に係る投影方法は、第１の波長帯域光を出射する第１の光源と、前記第１の波長帯域光を透過する透過領域と前記第１の波長帯域光が照射され前記第１の波長帯域光とは異なる第２の波長帯域光を反射する蛍光体領域とが周方向に並設して設けられる蛍光ホイールと、を有する光源部と、前記光源部を制御する光源制御部と、前記光源部からの出射光が照射され、画像光を形成する表示素子と、１画像フレーム期間を構成する複数のサブフレーム期間の各サブフレーム期間毎に前記画像光の表示位置をシフトする画素ずらしユニットと、前記光源制御部と前記画素ずらしユニットとを制御する制御部と、を備える投影装置の投影方法において、前記制御部により、前記画素ずらしユニットが前記サブフレーム期間毎に表示位置をシフトするタイミングと、前記出射光が切り替わるタイミングと、を同期させることを特徴とする。
【発明の効果】
【００１１】
本発明によれば、所定の遷移時間を必要とする画素ずらしを実行しても、投影光を早期に安定させることができ、画像の品質やコントラストを向上させることができる。
【図面の簡単な説明】
【００１２】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る蛍光板の正面模式図である。
【図５】本発明の実施形態に係る制御部が制御する画素ずらしユニットについて示す説明図であり、（ａ）は、表示素子から画素ずらしユニットに画像光を入射している状態を示しており、（ｂ）は、制御部が画素ずらしユニットを制御して、１つの画像光から、４つの画素ずらし画像光を生成する概念を示しており、（ｃ）は、画素ずらしユニットが画素ずらしを実行することにより、画素ずらしユニットに載置されたガラスの板が遷移する状態を示している。
【図６】本発明の実施形態に係る制御部が、画素ずらしユニットが各画素を変位させるタイミングと、光源制御回路が出射光を切り替えるタイミングとを同期させ、光源装置から出射される緑色セグメントを消灯させるとともに、青色セグメントに切り替えるタイミングで、画素ずらしユニットに各画素を変位させるタイミングチャートである。
【図７】本発明の実施形態に係る画素ずらしユニットの遷移時間と光源装置の出射光の１画像フレームにおけるタイミングチャートを示したものであり、黄色波長帯域光（Ｙ）が出射されている混色期間に、画素ずらしユニット４９の画素ずらしを実行させることを示している。
【発明を実施するための形態】
【００１３】
（第１実施形態）
以下、本発明の第１実施形態について図を用いて説明する。図１は、投影装置１０の外観斜視図である。なお、以下の説明において、投影装置１０における左右とは投影方向に対しての左右方向を示し、前後とは投影装置１０のスクリーン側方向及び光線束の進行方向に対しての前後方向を示す。
【００１４】
そして、投影装置１０は、図１に示すように、略直方体形状であって、投影装置１０の筐体の前方の側板とされる正面パネル１２の側方に投影口を覆うレンズカバー１９を有するとともに、この正面パネル１２には複数の排気孔１７を設けている。更に、図示しないがリモートコントローラからの制御信号を受信するＩｒ受信部を備えている。
【００１５】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１６】
更に、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５や正面パネル１２には、各々複数の排気孔１７が形成されている。また、左側パネル１５の背面パネル近傍の隅部や背面パネル１３には、吸気孔１８も形成されている。
【００１７】
次に、投影装置１０の投影装置制御部について図２の機能ブロック図を用いて述べる。投影装置制御部は、制御部３８、入出力インターフェース２２、画像変換部２３、表示エンコーダ２４、表示駆動部２６、光源制御回路４１及び画素ずらしユニット４９等から構成される。
【００１８】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１９】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２０】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２１】
表示駆動部２６は、表示素子制御部として機能するものである。表示駆動部２６は、表示エンコーダ２４から出力された画像信号に対応して適宜フレームレートで空間的光変調素子（ＳＯＭ）である表示素子５１を駆動する。表示駆動部２６は、光源装置６０から出射された光線束を後述の光源側光学系を介して、ＤＭＤ（デジタル・マイクロミラー・デバイス）が用いられる表示素子５１に照射することにより、表示素子５１の反射光で画像光Ｌ２（図３参照）を形成させ、固定鏡筒２２０Ａを介して図示しないスクリーンに投影光Ｌ４（図３参照）を投影表示する。
【００２２】
なお、この固定鏡筒２２０Ａの可動レンズ群２３５（図３参照）は、レンズモータ４５によりズーム調整やフォーカス調整のための駆動が行われる。また、後述する図３の投影レンズユニット（投影側光学系）２２０に含まれる固定レンズ群２２５と可動レンズ群２３５とを総称して、固定鏡筒２２０Ａとする。
【００２３】
画素ずらしユニット４９は、表示素子５１から出射された画像光Ｌ２（図３参照）に基づいて、画素ずらし画像光Ｌ３（図３参照）を生成する。
【００２４】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２５】
更に、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２６】
そして、筐体の上面パネル１１に設けられるメインキー及びインジケータ等により構成されるキー／インジケータ部３７の操作信号は、直接に制御部３８に出力される。リモートコントローラからのキー操作信号は、Ｉｒ受信部３５で受信され、Ｉｒ処理部３６で復調されたコード信号が制御部３８に出力される。
【００２７】
制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２８】
また、制御部３８は、光源制御回路４１と、画素ずらしユニット４９とを制御する。具体的には、光源制御回路４１は、制御部３８の制御により、表示素子５１における画像光Ｌ２（図３参照）の生成時に要求される所定波長帯域の光が光源装置６０から出射されるように、励起光源や赤色光源装置から所定のタイミングで個別の発光制御を行い、赤色、緑色及び青色の波長帯域光を発光させる。そして、制御部３８は、光源装置６０の所定のスポーク期間（消灯期間）に同期させ、画素ずらしユニット４９を制御する。
【００２９】
また、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００３０】
次に、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、制御回路基板２４１の側方、つまり、投影装置１０筐体の略中央部分に光源装置６０を備えている。更に、投影装置１０には、光源装置６０と左側パネル１５との間に、光源側光学系１７０や固定鏡筒２２０Ａが配置されている。
【００３１】
光源装置６０は、青色波長帯域光の光源であって励起光源である励起光照射装置７０と、赤色波長帯域光の光源である赤色光源装置１２０と、緑色波長帯域光の光源である緑色光源装置８０と、を備える。緑色光源装置８０は、励起光照射装置７０と蛍光板装置１００により構成される。また、光源装置６０には、青色波長帯域光、緑色波長帯域光、赤色波長帯域光を導光する導光光学系１４０が配置されている。導光光学系１４０は、各色光源装置７０，８０，１２０から出射される各色波長帯域光を、ライトトンネル１７５の入射口に集光する。
【００３２】
励起光照射装置７０は、投影装置１０筐体の左右方向における略中央部分であって背面パネル１３近傍に配置される。また、励起光照射装置７０は、青色レーザダイオード７１から成る光源群、反射ミラー群７５、集光レンズ７８、ヒートシンク８１等を備える。光源群は、背面パネル１３と光軸が平行になるよう配置された複数の半導体発光素子である青色レーザダイオード７１から成る。反射ミラー群７５は、各青色レーザダイオード７１からの出射光である青色波長帯域光（第１の波長帯域光）の光軸を正面パネル１２方向に９０度変換する。集光レンズ７８は、反射ミラー群７５で反射した各青色レーザダイオード７１からの出射光を集光する。また、ヒートシンク８１は、青色レーザダイオード７１と右側パネル１４との間に配置される。
【００３３】
光源群は、複数の半導体発光素子である青色レーザダイオード７１がマトリクス状に配列されて成る。また、各青色レーザダイオード７１の光軸上には、各青色レーザダイオード７１からの出射光の指向性を高めるように各々平行光に変換するコリメータレンズ７３がそれぞれ配置されている。また、反射ミラー群７５は、複数の反射ミラーが階段状に配列されてミラー基板７６と一体化されて位置調整を行って形成され、青色レーザダイオード７１から出射される光線束の断面積を一方向に縮小して集光レンズ７８に出射する。
【００３４】
ヒートシンク８１と背面パネル１３との間には冷却ファン２６１が配置されており、この冷却ファン２６１とヒートシンク８１とによって青色レーザダイオード７１が冷却される。更に、反射ミラー群７５と背面パネル１３との間にも冷却ファン２６１が配置されており、この冷却ファン２６１によって反射ミラー群７５や集光レンズ７８が冷却される。
【００３５】
赤色光源装置１２０は、青色レーザダイオード７１と光軸が平行となるように配置された赤色光源１２１と、赤色光源１２１からの出射光を集光する光学装置である集光レンズ群１２５と、が備えられる。この赤色光源１２１は、赤色波長帯域の光を発する半導体発光素子である赤色発光ダイオードである。そして、赤色光源装置１２０は、赤色光源装置１２０が出射する赤色波長帯域光の光軸が励起光照射装置７０から出射される青色波長帯域光の光軸と、蛍光板１０１から出射される緑色波長帯域光の光軸が交差するように配置されている。更に、赤色光源装置１２０は、赤色光源１２１の右側パネル１４側に配置されるヒートシンク１３０を備える。ヒートシンク１３０と正面パネル１２との間には冷却ファン２６１が配置されており、この冷却ファン２６１及びヒートシンク１３０によって赤色光源１２１が冷却される。
【００３６】
緑色光源装置８０を構成する蛍光板装置１００は、励起光照射装置７０から出射される励起光の光路上であって、正面パネル１２の近傍に配置される。蛍光板装置１００は、正面パネル１２と平行となるように、つまり、励起光照射装置７０からの出射光の光軸と直交するように配置された蛍光ホイールである蛍光板１０１と、この蛍光板１０１を回転駆動するモータ１１０と、励起光照射装置７０から出射される励起光の光線束を蛍光板１０１に集光するとともに蛍光板１０１から背面パネル１３方向に出射される光線束を集光する集光レンズ群１１１と、蛍光板１０１から正面パネル１２方向に出射される光線束を集光する集光レンズ１１５と、を備える。なお、モータ１１０と正面パネル１２との間には冷却ファン２６１が配置されており、この冷却ファン２６１によって蛍光板装置１００等が冷却される。
【００３７】
ここで、蛍光板１０１について説明する。図４は、蛍光板１０１の正面模式図である。本図は、蛍光板１０１を集光レンズ群１１１側から見た図である。蛍光板１０１は、円盤状に形成され、モータ軸１１２を中心としてモータ１１０の駆動により回転する。蛍光板１０１には、蛍光発光領域１０３と拡散透過領域１０４とが周方向に並設されている。蛍光発光領域１０３及び拡散透過領域１０４は、径方向に略一定の幅で形成される。蛍光発光領域１０３は、青色レーザダイオード７１から出射された青色波長帯域光（第１の波長帯域光）を励起光として受けて、励起された緑色波長帯域の蛍光光（第２の波長帯域光）を出射する。拡散透過領域１０４は、青色レーザダイオード７１からの出射光を拡散透過する。拡散透過した出射光は、光源装置６０の青色波長帯域光として出射される。なお、蛍光発光領域１０３と拡散透過領域１０４との間には、少しの隙間が設けられており、光源光を出射しないスポーク期間（消灯期間）が形成されている。なお、スポーク期間（消灯期間）は、無効期間として取り扱う。
【００３８】
蛍光板１０１の基材は銅やアルミニウム等から成る金属基材であって、この基材の励起光照射装置７０側の表面には、環状の溝を形成し、この溝の底部が銀蒸着等によってミラー加工されており、このミラー加工された表面に緑色蛍光体の層が敷設されている。更に、励起光を透過又は拡散透過する拡散透過領域のうち、透過する領域とされる場合には、基材の切抜き透孔部に透光性を有する透明基材が嵌入される。拡散透過する領域とされる場合には、表面をサンドブラスト等で微細凹凸を形成した透明基材が嵌入される。
【００３９】
蛍光板１０１の蛍光体層は、励起光照射装置７０からの励起光としての青色波長帯域光が蛍光板１０１の緑色蛍光体層に照射されると、緑色蛍光体層における緑色蛍光体が励起され、緑色蛍光体から全方位に緑色波長帯域光を出射する。蛍光発光された光線束は、背面パネル１３側へ出射され、集光レンズ群１１１に入射する。一方、蛍光板１０１における入射光を透過又は拡散透過する拡散透過領域に入射された励起光照射装置７０からの青色波長帯域光は、蛍光板１０１を透過又は拡散透過され、蛍光板１０１の背面側（換言すれば、正面パネル１２側）に配置された集光レンズ１１５に入射する。
【００４０】
そして、導光光学系１４０は、赤色、緑色、青色波長帯域の光線束を集光させる集光レンズや、各色波長帯域の光線束の光軸を変換して同一の光軸とさせる反射ミラー、ダイクロイックミラー等からなる。具体的には、導光光学系１４０には、励起光照射装置７０から出射される青色波長帯域光及び蛍光板１０１から出射される緑色波長帯域光と、赤色光源装置１２０から出射される赤色波長帯域光とが交差する位置に、青色及び赤色波長帯域光を共に透過し、緑色波長帯域光を反射してこの緑色波長帯域光の光軸を左側パネル１５方向に９０度変換する第一ダイクロイックミラー１４１が配置されている。すなわち、第一ダイクロイックミラー１４１は、各色波長帯域光に対して略４５°で配置される。
【００４１】
また、蛍光板１０１を透過又は拡散透過した青色波長帯域光の光軸上、つまり、集光レンズ１１５と正面パネル１２との間には、青色波長帯域光を反射してこの青色光の光軸を左側パネル１５方向に９０度変換する第一反射ミラー１４３が配置されている。第一反射ミラー１４３における左側パネル１５側には、集光レンズ１４６が配置され、更にこの集光レンズ１４６の左側パネル１５側には、第二反射ミラー１４５が配置されている。第二反射ミラー１４５の背面パネル１３側には、集光レンズ１４７が配置されている。第二反射ミラー１４５は、第一反射ミラー１４３により反射され、集光レンズ１４６を介して入射される青色波長帯域光の光軸を背面パネル１３側に９０度変換する。
【００４２】
また、第一ダイクロイックミラー１４１の左側パネル１５側には、集光レンズ１４９が配置されている。更に、集光レンズ１４９の左側パネル１５側であって、集光レンズ１４７の背面パネル１３側には、第二ダイクロイックミラー１４８が配置されている。第二ダイクロイックミラー１４８は、赤色波長帯域光及び緑色波長帯域光を反射して背面パネル１３側に９０度光軸を変換し、青色波長帯域光を透過させる。
【００４３】
第一ダイクロイックミラー１４１を透過した赤色波長帯域光の光軸と、この赤色波長帯域光の光軸と一致するように第一ダイクロイックミラー１４１により反射された緑色波長帯域光は、集光レンズ１４９に入射する。そして、集光レンズ１４９を透過した赤色及び緑色波長帯域光は、第二ダイクロイックミラー１４８により反射され、光源側光学系１７０の集光レンズ１７３を介してライトトンネル１７５の入射口に集光される。一方、集光レンズ１４７を透過した青色波長帯域光は、第二ダイクロイックミラー１４８を透過して、集光レンズ１７３を介してライトトンネル１７５の入射口に集光される。
【００４４】
光源側光学系１７０は、集光レンズ１７３，ライトトンネル１７５，集光レンズ１７８，光軸変換ミラー１８１，集光レンズ１８３，照射ミラー１８５，コンデンサレンズ１９５により構成されている。なお、コンデンサレンズ１９５は、コンデンサレンズ１９５の背面パネル１３側に配置される表示素子５１から出射された画像光を、固定鏡筒２２０Ａに向けて出射するので、投影レンズユニット２２０の一部ともされている。
【００４５】
ライトトンネル１７５の近傍には、ライトトンネル１７５の入射口に光源光を集光する集光レンズ１７３が配置されている。よって、赤色波長帯域光、緑色波長帯域光及び青色波長帯域光は、集光レンズ１７３により集光され、ライトトンネル１７５に入射される。ライトトンネル１７５に入射された光線束は、ライトトンネル１７５により均一な強度分布の光線束とされる。
【００４６】
ライトトンネル１７５の背面パネル１３側の光軸上には、集光レンズ１７８を介して、光軸変換ミラー１８１が配置されている。ライトトンネル１７５の出射口から出射した光線束は、集光レンズ１７８で集光された後、光軸変換ミラー１８１により、左側パネル１５側に光軸を変換される。
【００４７】
光軸変換ミラー１８１で反射した光線束は、集光レンズ１８３により集光された後、照射ミラー１８５により、コンデンサレンズ１９５を介して表示素子５１に所定の角度で照射される。なお、ＤＭＤとされる表示素子５１は、背面パネル１３側にヒートシンク１９０が設けられ、このヒートシンク１９０により表示素子５１は冷却される。
【００４８】
光源側光学系１７０により表示素子５１の画像形成面に照射された光源光Ｌ１である光線束は、表示素子５１の画像形成面で画像光Ｌ２として反射される。表示素子５１から出射される画像光Ｌ２の光路上には、画素ずらしユニット４９が配置される。具体的には、コンデンサレンズ１９５と、固定鏡筒２２０Ａの間に配置される。
【００４９】
ここで、投影レンズユニット２２０は、コンデンサレンズ１９５，可動レンズ群２３５，固定レンズ群２２５により構成されている。可動レンズ群２３５は、レンズモータにより移動可能に形成される。そして、可動レンズ群２３５及び固定レンズ群２２５は、固定鏡筒２２０Ａに内蔵される。よって、可動レンズ群２３５を備える固定鏡筒２２０Ａは、可変焦点型レンズとされ、ズーム調節やフォーカス調節が可能に形成される。
【００５０】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介して集光レンズ１７３及びライトトンネル１７５に順次入射され、更に光源側光学系１７０を介して表示素子５１に入射されるため、投影装置１０の表示素子５１であるＤＭＤがデータに応じて各色の光を時分割表示することにより、スクリーンにカラー画像を投影することができる。
【００５１】
次に、本発明の実施形態に係る制御部３８が制御する画素ずらしユニット４９について、図面を用いて説明する。まず、図５（ａ）では、本発明の実施形態に係る表示素子５１から、画素ずらしユニット４９に画像光Ｌ２（図３参照）が入射されている状態を示している。表示素子５１には、画像形成面に複数のミラーが設けられ、そのうちの１つのミラーをミラー５１ａとする。この場合、表示素子５１は、複数のミラー５１ａのそれぞれが行及び列を成して画像形成面を形成する。
【００５２】
図５（ｂ）では、制御部３８が画素ずらしユニット４９を制御して、１つの画像光Ｌ２から、４つの画素ずらし画像光Ｌ３（図３参照）を生成する概念を示した説明図である。
【００５３】
画素ずらしユニット４９は、後述するが、制御部３８の制御により、１画像フレーム期間を４等分し、４等分したサブフレームごとに表示素子５１の複数の各ミラー５１ａの画像光Ｌ２に基づく投影画像をシフトする。例えば、第１サブフレームの第１状態を基準位置とした場合に、第１状態の画像光Ｌ２を投影し、画素ずらし画像光Ｌ３を得る。そして、第１サブフレーム期間から第２サブフレーム期間に切り替わることにより、基準位置である第１状態から水平方向であって、図５（ｂ）における右方向に１／２画素をずれた位置（第２状態）に画像光Ｌ２を投影し、画素ずらし画像光Ｌ３を得る。
【００５４】
また、第２サブフレーム期間から第３サブフレーム期間に切り替わることにより、第２状態から垂直方向であって、図５（ｂ）における下方向に１／２画素ずれた位置（第３状態）に画像光Ｌ２を投影し、画素ずらし画像光Ｌ３を得る。そして、第３サブフレーム期間から第４サブフレーム期間に切り替わることにより、第３状態から水平方向であって、図５（ｂ）における左方向に１／２画素ずれた位置（第４状態）に画像光Ｌ２を投影し、画素ずらし画像光Ｌ３を得る。
【００５５】
更に、第４サブフレーム期間から第１サブフレーム期間に切り替わることにより、第４状態から垂直方向であって、図５（ｂ）における上方向に１／２画素ずれた位置（第１状態）に画像光Ｌ２を投影し、画素ずらし画像光Ｌ３を得る。
【００５６】
また、図５（ｃ）では、本発明の実施形態に係る画素ずらしユニット４９が、第１から第４の各サブフレーム期間に画素ずらしを実行する場合、画素ずらしユニット４９に載置されたガラス４９ａの板が遷移する状態を示した説明図である。
【００５７】
画素ずらしユニット４９には、平行平板ガラスで形成されるガラス（平行平面板）４９ａが載置されており、画素ずらしユニット４９は、ガラス４９ａの光の屈折作用を利用して、画素ずらしを実行する。画素ずらしは、ガラス４９ａを光軸に垂直な面に対して傾斜させ、屈折作用で出射光の光路が平行に移動することで行われる。画素ずらしユニット４９は、この傾斜による制御を２つの回転軸に対して行うことにより、水平・垂直方向の２方向の画素ずらしが実行可能となる。
【００５８】
具体的には、当初画像光Ｌ２の光軸に対してほぼ垂直となるニュートラル状態に保持される。この後、図５（ｄ）に示すように、ガラス４９ａは、傾き角度θで第１状態となり、次に傾き角度θで第２状態となり、次に傾き角度θで第３状態、次に傾き角度θで第４状態となる。なお、ガラス４９ａは、表示素子５１と投影レンズユニット（投影側光学系）２２０との間における光路上に配置されている。また、アクチュエータが駆動されることによって、ガラス４９ａを光軸に対し複数の所定方向に傾けて光の入射位置に対する出射位置を変化させる。具体的には、制御部が、ガラス４９ａをサブフレーム期間毎に光軸に対し所定方向に傾けて画像光の入射位置に対する出射位置を変化させるアクチュエータを駆動制御する。
【００５９】
これにより、制御部３８は、画素ずらしユニット４９に対し、１画像フレームにおいて第１から第４の各サブフレーム期間に対応する４つの状態の画素ずらし画像を生成することができる。制御部３８は、第１状態から第４状態に変位した、各画素の変位の前後における重複する画素領域に基づいて１画素を形成する。この場合、生成された画素ずらし画像は、表示素子解像度の１画素に相当する水平・垂直方向に２画素×２画素に領域分割される。制御部３８は、各々の領域内で表示位置に相当する画素を抽出し、投影画像の４倍となる１枚の高解像度画像を生成することができる。
【００６０】
即ち、制御部によってアクチュエータを駆動制御し、ガラス４９ａを複数回傾斜させて光の入射位置に対する出射位置を変化させることにより、画像を順次ずらし、この複数回の画像データを合成して１画面の合成画像データを生成することで高解像度の画像を得ることができる。
【００６１】
ここで、画素ずらしユニット４９は、第１から第４の各サブフレーム期間において、各画素に画素ずらしを実行するため、各サブフレーム内で投影光Ｌ４が安定するまで、即ち、載置されたガラス４９ａの板が安定するまで、所定の遷移時間を必要とする。換言すれば、この遷移時間は、画素ずらしユニット４９のガラス４９ａの板が安定していないため、投影光Ｌ４として使用するには適さない無効状態（又は無効期間）となる。
【００６２】
また、投影装置１０は、光源装置６０から、赤色、緑色及び青色の各波長帯域光を出射しており、セグメントの切り替えタイミングにより、光源光を出射しない無効期間、又は混色が発生する期間（以下、これを混色期間という。）が発生する場合がある。
【００６３】
そこで、本発明の実施形態に係る制御部３８は、画素ずらしユニット４９が各画素を変位させるタイミングと、光源制御回路４１が出射光を切り替えるタイミングとを同期させるようになっている。
【００６４】
図６は、本発明の実施形態に係る制御部３８が、画素ずらしユニット４９が各画素を変位させるタイミングと、光源制御回路４１が出射光を切り替えるタイミングとを同期させ、出射光を切り替えるタイミングにおいて、画素ずらしユニット４９に現在の状態（第１状態）から次の状態（第２状態）に、各画素を変位させることを示したタイミングチャートである。
【００６５】
図６では、第１サブフレーム期間から第４サブフレーム期間の光源装置６０の出射光を示している。第２サブフレーム期間から第４ブフレーム期間は、第１サブフレーム期間とほぼ同様の内容の繰り返しであるため、以下の説明において、各サブフレーム期間として説明する。なお、１画像フレームの周波数を６０Ｈｚとした場合、サブフレームの周波数は、４倍の２４０Ｈｚとする。
【００６６】
制御部３８は、蛍光板１０１を回転させ、励起光照射装置７０及び赤色光源装置１２０から異なるタイミングで光を出射させ、図６に示すように、光源装置６０は、赤色、緑色、青色及び黄色の各波長帯域光を出射する。赤色セグメント（Ｒ）は、各サブフレーム期間において、赤色光源装置１２０がＯＮ時に光源装置６０から出射される。
【００６７】
一方、緑色セグメント（Ｇ）は、各サブフレーム期間において、青色レーザダイオード７１から出射された青色波長帯域光である励起光を蛍光板１０１の蛍光発光領域１０３で受けて、励起された緑色波長帯域の蛍光光が、光源装置６０から出射される。他方、青色セグメント（Ｂ）は、各サブフレーム期間において、青色レーザダイオード７１からの出射光を蛍光板１０１の拡散透過領域１０４で拡散透過する。拡散透過した出射光は、光源装置６０の青色波長帯域光として、光源装置６０から出射される。
【００６８】
これに対し、黄色セグメント（Ｙ）は、各サブフレーム期間において、赤色波長帯域光（Ｒ）と緑色波長帯域光（Ｇ）が同時に出射されることにより、光源装置６０から黄色波長帯域光（Ｙ）が出射される。
【００６９】
ここで、１フレーム中の各色の発光切り替え時期であるフィールド期間の切替タイミング時に、先に点灯していた光が残像として残り、隣接するフィールド期間に対応する光の色同士が合わさった混色光が照射されるスポーク期間が発生する。光源に発光を開始させてから、光源の発光強度が所定の明るさとなる迄の時間である光源の立ち上がり時間は、このスポーク期間に相当する。
【００７０】
スポーク期間、即ち各出射光の切り替えの前後一定角度分に相当する期間内では、各出射光の色に対応した正確な色画像の投影ができないため、この期間中の混色光は、マイクロミラー表示素子をオフにして捨てるか、マイクロミラー表示素子をオンにして画像の明るさを高めるための光として用いる。照射スポット径は同一サイズであるため、図６に示す出射光の、Ｂ、Ｒフィールド間、Ｒ、Ｙフィールド間、Ｙ、Ｇフィールド間、Ｇ、Ｒフィールド間、の何れにおいてもスポーク期間は発生する。しかし、Ｇ，Ｂフィールド間に位置するスポーク期間は、照射スポットの位置が蛍光発光領域１０３から拡散透過領域１０４に物理的に変わる期間であり、Ｂ、Ｒフィールド間、Ｒ、Ｙフィールド間のように、励起光源とは別光源の赤色光源１２１を発光し、赤色光源１２１の出射光の光路が蛍光板１０１を通らないような期間ではないため、他のフィールド間と比較して最もＧ，Ｂフィールド間が長くなる。
【００７１】
よって、制御部は、画素ずらしユニット４９が各画素を変位させるタイミングである遷移時間ｔ１乃至ｔ４（画素ずらしユニット４９がサブフレーム期間毎に表示位置をシフトするタイミング）を、光源部からの出射光が切り替わるタイミングのうちのＧ，Ｂフィールド間に位置するスポーク期間（スポーク期間のうち最も長いタイミング）に同期させる。このスポーク期間のうち最も長いタイミングは、第１の波長帯域光を透過する透過領域と、第２の波長帯域光を反射する蛍光体領域と、の間の領域である。なお、制御部３８は、画素ずらしユニット４９が第１サブフレーム期間の第１状態（現在の状態）から第２サブフレーム期間の状態（次の状態）に移行するタイミングに同期して、光源制御回路４１により、光源装置６０の青色レーザダイオード７１を消灯させても良い。
【００７２】
このように、制御部３８は、画素ずらしユニット４９が各画素を変位させるタイミングと同期して、光源制御回路４１が出射光を切り替えて、光源装置６０の青色レーザダイオード７１を消灯させることで、投影画像の品質を向上させることができる。この場合、制御部３８は、光源装置６０のスポーク期間（消灯期間）を開始させるとともに、画素ずらしユニット４９に画素ずらしを実行させることができるので、スポーク期間（消灯期間）に画素ずらしユニット４９の遷移時間ｔ１等を含ませることができる。即ち、各サブフレーム期間においても同様に、スポーク期間（消灯期間）に画素ずらしユニット４９の各遷移時間ｔ１，ｔ２，ｔ３，ｔ４を含ませることができる。
【００７３】
また、本発明の実施形態に係る投影装置１０の投影方法は、光源装置６０からの出射光を表示素子５１に照射して画像光を形成する第一工程と、画素ずらしユニット４９により画像光を形成する各画素の現在の状態を所定方向に変位させる第二工程と、光源制御回路４１により光源装置６０が出射する出射光を切り替える第三工程と、画素ずらしユニット４９により所定方向に変位された画像光を形成する各画素の現在の状態を次の状態とする第四工程と、を含む。
【００７４】
これにより、投影装置１０の投影方法では、画像光を形成した後、各画素を現在の状態から次の状態に変位させ、同時に光源装置６０が出射する出射光を切り替えることができるので、次の状態の画像光を形成する所定の遷移時間を必要とする画素ずらしを実行しても、投影光を早期に安定させることができ、画像の品質やコントラストを向上させることができる。
【００７５】
（変形例）
また、本発明の実施形態に係る投影装置１０は、光源装置６０が、それぞれ波長の異なる光を出射する複数の光源装置を備えている。これにより、制御部３８は、光源制御回路４１が出射光を切り替えるタイミングにおいて、複数の光源装置のうち２以上の光源装置を点灯させる混色期間を有するようにしてもよい。
【００７６】
図７は、本発明の実施形態に係る画素ずらしユニット４９の遷移時間と、光源装置６０の出射光の１画像フレームにおけるタイミングチャートを示したものである。本実施形態では、光源装置６０は、励起光照射装置７０と赤色光源装置１２０とを備えている。
【００７７】
変形例では、緑色波長帯域光と赤色波長帯域光の混色である黄色波長帯域光（Ｙ）が出射されるタイミングにおいて、画素ずらしユニット４９の画素ずらしを実行させるようになっている。具体的には、赤色光源装置１２０から赤色波長帯域光（Ｒ）を出射すると共に、蛍光発光領域１０３から緑色波長帯域光（Ｇ）を出射することよって、光源装置６０から黄色波長帯域光（Ｙ）が出射される。この場合、制御部３８は、黄色波長帯域光（Ｙ）が出射されている混色期間に、画素ずらしユニット４９の画素ずらしを実行させることができる。
【００７８】
これにより、赤色波長帯域光（Ｒ）、緑色波長帯域光（Ｇ）、及び青色波長帯域光（Ｂ）の単色が出射される場合と異なり、画像光や投影光がぼやけても生成される高解像度画像への影響が少なく、画像のムラや粗さを目立たないようにすることができる。
【００７９】
なお、蛍光板１０１等の構成を変更し、制御部３８は、光源装置６０から出射光として、混色のシアン色波長帯域光（Ｃ）が出射されるように設定してもよい。この場合、混色のシアン色波長帯域光（Ｃ）が出射されている混色期間に赤色波長帯域光（Ｒ）を出射させると、光源装置６０の出射光は、ホワイト波長帯域光（Ｗ）に変更されて出射される。
【００８０】
これにより、制御部３８は、ホワイト波長帯域光（Ｗ）が出射されている期間中に画素ずらしユニット４９に対して画素ずらしを実行させることができ、より一層、高解像度画像のムラや粗さを目立たなくさせることができる。
【００８１】
なお、制御部３８は、光源装置６０から出射される所定の混色期間を設定し、混色期間のデューティーを設定するようにしてもよい。例えば、投影するカラー画像１フレームがＲフィールド、Ｇフィールド、Ｙフィールド、及びＢフィールドの計４フィールドから構成されるものとする。この場合、第１から第４の各サブフレーム期間における遷移時間と、黄色波長帯域光（Ｙ）が出射される混色期間とが一致するように、黄色波長帯域光（Ｙ）の混色期間を設定することができる。また、混色期間としては、黄色波長帯域光（Ｙ）の出射期間に限らず、ＧフィールドとＢフィールドとの間のシアン波長帯域光（Ｃ）が出射される期間、ＢフィールドとＲフィールドとの間のマゼンタ波長帯域光（Ｍ）が出射される期間であっても良い。
【００８２】
以上の通り、本発明の投影装置１０は、光源装置６０と、光源装置６０を制御する光源制御回路４１と、光源装置６０からの出射光Ｌ１が照射され、画像光Ｌ２を形成する表示素子５１と、画像光Ｌ２を形成する各画素の現在の状態を所定の方向に変位させ、次の状態の画像光Ｌ２を形成する画素ずらしユニット４９と、画像光Ｌ２が入射され、投影光Ｌ４を出射する投影レンズユニット２２０と、光源制御回路４１と、画素ずらしユニット４９とを制御する制御部３８と、を備えている。制御部３８は、画素ずらしユニット４９が各画素を変位させるタイミングと、光源制御回路４１が出射光を切り替えるタイミングとを同期させる。
【００８３】
これにより、投影装置１０は、所定の遷移時間を必要とする画素ずらしを実行しても、高解像度画像を形成する投影光を早期に安定させることができ、画像の品質やコントラストを向上させることができる。
【００８４】
また、制御部３８は、光源制御回路４１が出射光を切り替えるタイミングにおいて、光源装置６０を消灯させるようにしてもよい。この場合、制御部３８は、光源装置６０のスポーク期間（消灯期間）を開始させるとともに、画素ずらしユニット４９に画素ずらしを実行させることができるので、画素ずらしユニット４９の各遷移時間ｔ１等を、スポーク期間（消灯期間）に含ませることができる。
【００８５】
更に、制御部３８は、画素ずらしユニット４９の所定の遷移時間を別途設定する必要がなくなるため、ユーザが所定の遷移時間を設定する手間を省くこともできる。
【００８６】
また、光源装置６０は、それぞれ波長の異なる光を出射する複数の光源装置を備え、制御部３８は、光源制御回路４１が出射光を切り替えるタイミングにおいて、複数の光源装置のうち２以上の光源装置を点灯させる混色期間を有するようにしてもよい。
【００８７】
これにより、赤色セグメント（Ｒ）、緑色セグメント（Ｇ）、及び青色セグメント（Ｂ）の単色が出射される場合と異なり、画像光や投影光がぼやけても生成される高解像度画像への影響が少なく、画像のムラや粗さを目立たないようにすることができる。
【００８８】
また、現在の状態及び次の状態は、それぞれ、第１状態、第２状態、第３状態及び第４状態とすることができる。現在の状態及び次の状態は、１画像フレームにおける第１から第４の各サブクレーム期間の第１状態から第４状態の４つの状態に対応するので、１画像フレームを形成することができる。
【００８９】
また、制御部３８は、現在の状態から次の状態に変位した、各画素の変位の前後における重複する画素領域に基づいて、１画素を形成するようにしてもよい。
【００９０】
これにより、制御部３８は、第１から第４の各サブフレーム期間に対応する４つの状態に基づく画素ずらし画像光Ｌ３を得ることができるので、投影画像の４倍となる高解像度画像を生成することができる。
【００９１】
また、本発明の実施形態に係る投影装置１０は、画像光Ｌ２が入射され、投影光Ｌ４を出射する投影レンズユニット（投影側光学系）２２０を、更に備えるようにしてもよい。
【００９２】
これにより、投影装置１０は、画像光Ｌ２を投影光Ｌ４として、スクリーンに投影することができる。
【００９３】
また、本発明の投影装置１０の投影方法は、光源装置６０からの出射光を表示素子５１に照射して画像光を形成する第一工程と、画素ずらしユニット４９により画像光を形成する各画素の現在の状態を所定方向に変位させる第二工程と、光源制御回路４１により光源装置６０が出射する出射光を切り替える第三工程と、画素ずらしユニット４９により所定方向に変位された画像光を形成する各画素の現在の状態を次の状態とする第四工程と、を含む。
【００９４】
これにより、投影装置１０の投影方法では、画像光を形成した後、各画素を現在の状態から次の状態に変位させ、同時に光源装置６０が出射する出射光を切り替えることができるので、次の状態の画像光を形成する所定の遷移時間を必要とする画素ずらしを実行しても、投影光を早期に安定させることができ、画像の品質やコントラストを向上させることができる。
【００９５】
なお、上記実施形態において、画素ずらしユニット４９は、平行平板ガラスで形成されるガラス（平行平面板）４９ａの光の屈折作用を利用して、画素ずらしを実行するとしたが、この構成に限らない。例えば、画素ずらしユニット４９として、表示素子５１が固定された可動ユニットを備え、制御部が、可動ユニットを移動させ表示素子５１の位置を制御するようにしても良い。
【００９６】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９７】
以下に、本願出願の最初の特許請求の範囲に記載された発明を付記する。
[１]第１の波長帯域光を出射する第１の光源と、
前記第１の波長帯域光を透過する透過領域と、前記第１の波長帯域光が照射され、前記第１の波長帯域光とは異なる第２の波長帯域光を反射する蛍光体領域と、が周方向に並設して設けられる蛍光ホイールと、
を有する光源部と、
前記光源部を制御する光源制御部と、
前記光源部からの出射光が照射され、画像光を形成する表示素子と、
１画像フレーム期間を構成する複数のサブフレーム期間の各サブフレーム期間毎に前記画像光の表示位置をシフトする画素ずらしユニットと、
前記光源制御部と前記画素ずらしユニットとを制御する制御部と、
を備え、
前記制御部は、前記画素ずらしユニットが前記サブフレーム期間毎に表示位置をシフトするタイミングと、前記光源部からの前記出射光が切り替わるタイミングと、を同期させることを特徴とする投影装置。
［２］前記光源部からの前記出射光が切り替わるタイミングは、スポーク期間のうち最も長いタイミングであることを特徴とする前記［１］に記載の投影装置。
［３］前記スポーク期間のうち前記最も長いタイミングは、前記第１の波長帯域光を透過する透過領域と、前記第２の波長帯域光を反射する蛍光体領域と、の間の領域であることを特徴とする前記［２］に記載の投影装置。
［４］前記画素ずらしユニットは、前記表示素子と前記投影側光学系との間における光路上に配置される透明な平行平面板と、前記平行平面板を光軸に対し複数の所定方向に傾けて光の入射位置に対する出射位置を変化させるアクチュエータと、
を備え、
前記制御部は、前記平行平面板を前記サブフレーム期間毎に光軸に対し所定方向に傾けて前記画像光の入射位置に対する出射位置を変化させるアクチュエータを駆動制御することを特徴とする前記［１］乃至前記［３］の何れかに記載の投影装置。
［５］前記画素ずらしユニットは、前記表示素子が固定された可動ユニットを備え、
前記制御部は、前記可動ユニットを移動させ、前記表示素子の位置を制御することを特徴とする前記［１］乃至前記［３］の何れかに記載の投影装置。
［６］前記制御部は、前記光源制御部が前記出射光を切り替えるタイミングにおいて、前記光源部を消灯させることを特徴とする前記［１］乃至前記［５］の何れかに記載の投影装置。
［７］シフトする前記画像光の表示位置は、それぞれ、第１状態、第２状態、第３状態及び第４状態であることを特徴とする前記［１］乃至前記［６］の何れかに記載の投影装置。
［８］前記制御部は、前記画像光の表示位置がシフトした、前記各画素のシフトの前後における重複する画素領域に基づいて、１画素を形成することを特徴とする前記［１］乃至前記［７］の何れかに記載の投影装置。
［９］前記画像光が入射され、投影光を出射する投影側光学系を、更に備えることを特徴とする前記［１］乃至前記［８］の何れかに記載の投影装置。
［１０］第１の波長帯域光を出射する第１の光源と、前記第１の波長帯域光を透過する透過領域と前記第１の波長帯域光が照射され前記第１の波長帯域光とは異なる第２の波長帯域光を反射する蛍光体領域とが周方向に並設して設けられる蛍光ホイールと、を有する光源部と、
前記光源部を制御する光源制御部と、
前記光源部からの出射光が照射され、画像光を形成する表示素子と、
１画像フレーム期間を構成する複数のサブフレーム期間の各サブフレーム期間毎に前記画像光の表示位置をシフトする画素ずらしユニットと、
前記光源制御部と前記画素ずらしユニットとを制御する制御部と、
を備える投影装置の投影方法において、
前記制御部により、前記画素ずらしユニットが前記サブフレーム期間毎に表示位置をシフトするタイミングと、前記出射光が切り替わるタイミングと、を同期させることを特徴とする投影装置の投影方法。
【符号の説明】
【００９８】
１０      投影装置                      １１      上面パネル
１２      正面パネル                    １３      背面パネル
１４      右側パネル                    １５      左側パネル
１７      排気孔                        １８      吸気孔
１９      レンズカバー                  ２１      入出力コネクタ部
２２      入出力インターフェース        ２３      画像変換部
２４      表示エンコーダ                ２５      ビデオＲＡＭ
２６      表示駆動部                    ３１      画像圧縮／伸長部
３２      メモリカード                  ３５      Ｉｒ受信部
３６      Ｉｒ処理部                    ３７      キー／インジケータ部
３８      制御部                        ４１      光源制御回路
４３      冷却ファン駆動制御回路        ４５      レンズモータ
４７      音声処理部                    ４８      スピーカ
４９      画素ずらしユニット            ４９ａ    ガラス（平行平面板）
５１      表示素子                      ６０      光源装置
７０      励起光照射装置                ７１      青色レーザダイオード
７３      コリメータレンズ              ７５      反射ミラー群
７６      ミラー基板
７８      集光レンズ                    ８０      色光源装置
８０      緑色光源装置                  ８１      ヒートシンク
１００    蛍光板装置                    １０１    蛍光板
１１０    モータ                        １１１    集光レンズ群
１１５    集光レンズ                    １２０    赤色光源装置
１２１    赤色光源                      １２４    分光板
１２５    集光レンズ群                  １３０    ヒートシンク
１４０    導光光学系                    １４１    第一ダイクロイックミラー
１４３    第一反射ミラー                １４５    第二反射ミラー
１４６    集光レンズ                    １４７    集光レンズ
１４８    第二ダイクロイックミラー
１４９    集光レンズ                    １７０    光源側光学系
１７３    集光レンズ                    １７５    ライトトンネル
１７８    集光レンズ                    １８１    光軸変換ミラー
１８３    集光レンズ                    １８５    照射ミラー
１９０    ヒートシンク                  １９５    コンデンサレンズ
２２０    投影レンズユニット（投影側光学系）
２２５    固定レンズ群                  ２２０Ａ  固定鏡筒
２３５    可動レンズ群                  ２４１    制御回路基板
２６１    冷却ファン
【図１】
2019062463.tif 000003
【図２】
2019062463.tif 000004
【図３】
2019062463.tif 000005
【図４】
2019062463.tif 000006
【図５】
2019062463.tif 000007
【図６】
2019062463.tif 000008
【図７】
2019062463.tif 000009